(57)【要約】【課題】断熱パネル本体が湾曲し難い硬質のパネルであって、しかも、貯留設備の外面に凹凸があっても、永久磁石を使用して、その磁力に応じた適切な吸着力で断熱パネルを保持できる貯留設備の断熱構造とそのための断熱パネル。【解決手段】硬質の断熱パネル本体９が、断熱パネル本体９の裏面側に設けられた永久磁石１２によって貯留設備の外面に吸着されている貯留設備の断熱構造で、永久磁石１２による磁着部が、断熱パネル本体９の裏面に対し遠近方向に移動自在に取り付けられて貯留設備の外面に吸着されている断熱構造と、硬質の断熱パネル本体９が、断熱パネル本体９の裏面側に設けられた永久磁石１２によって貯留設備の外面に吸着可能に構成されている貯留設備用の断熱パネルで、永久磁石１２による磁着部が、断熱パネル本体９の裏面に対し遠近方向に移動自在に取り付けられている断熱パネル。【選択図】　　　　図３
2004083032.tif 000002
【特許請求の範囲】
【請求項１】
硬質の断熱パネル本体が、その断熱パネル本体の裏面側に設けられた永久磁石によって貯留設備の外面に吸着されている貯留設備の断熱構造であって、
前記永久磁石による磁着部が、前記断熱パネル本体の裏面に対し遠近方向に移動自在に取り付けられて前記貯留設備の外面に吸着されている貯留設備の断熱構造。
【請求項２】
前記永久磁石が、前記断熱パネル本体に可撓性を備えた可撓性部材を介して取り付けられている請求項１に記載の貯留設備の断熱構造。
【請求項３】
前記永久磁石と可撓性部材が、可撓性磁石により一体的に形成されている請求項２に記載の貯留設備の断熱構造。
【請求項４】
前記永久磁石が、前記断熱パネル本体との間にスペーサを介在させて取り付けられて、前記断熱パネル本体の裏面と前記貯留設備の外面との間に排水用空間が形成されている請求項１〜３のいずれか１項に記載の貯留設備の断熱構造。
【請求項５】
前記永久磁石が、前記断熱パネル本体に弾性変形自在な弾性部材を介して取り付けられている請求項１に記載の貯留設備の断熱構造。
【請求項６】
硬質の断熱パネル本体が、その断熱パネル本体の裏面側に設けられた永久磁石によって貯留設備の外面に吸着可能に構成されている貯留設備用の断熱パネルであって、
前記永久磁石による磁着部が、前記断熱パネル本体の裏面に対し遠近方向に移動自在に取り付けられている貯留設備用の断熱パネル。
【請求項７】
前記永久磁石が、前記断熱パネル本体に可撓性を備えた可撓性部材を介して取り付けられている請求項６に記載の貯留設備用の断熱パネル。
【請求項８】
前記永久磁石と可撓性部材が、可撓性磁石により一体的に形成されている請求項７に記載の貯留設備用の断熱パネル。
【請求項９】
前記可撓性磁石が帯状であり、その帯状の可撓性磁石が、幅方向の両端部を非接着状態として、幅方向の中央部が接着により前記断熱パネル本体に取り付けられている請求項８に記載の貯留設備用の断熱パネル。
【発明の詳細な説明】
【０００１】
【発明の属する技術分野】
本発明は、貯留設備の断熱構造とその断熱パネルに関し、より詳しくは、硬質の断熱パネル本体が、その断熱パネル本体の裏面側に設けられた永久磁石によって貯留設備の外面に吸着されている貯留設備の断熱構造と、硬質の断熱パネル本体が、その断熱パネル本体の裏面側に設けられた永久磁石によって貯留設備の外面に吸着可能に構成されている貯留設備用の断熱パネルに関する。
【０００２】
【従来の技術】
例えば、重油を貯蔵するタンクでは、重油の粘度上昇を抑制するため、タンク内の重油を適温に温める必要があり、その保温のためにも、タンクの周壁や天井壁には、断熱パネルを取り付ける必要がある。また、重油以外の各種の液体や気体を貯蔵するタンクなどの貯留設備においても、外気などの影響を抑制するために断熱パネルを取り付ける必要がある。
通常、タンクなどの貯留設備では、点検やメンテナンス時に、作業員が断熱パネル上を歩くことがあるため、ある程度の耐荷重性を備えた硬質の断熱パネルが使用され、しかも、その断熱パネルは、点検やメンテナンスに備えて容易に剥がしたり、再度取り付けたりできる構成が望ましい。
そのような要望を満たすものとして、硬質の断熱パネル本体の裏面側に永久磁石などを直接的に取り付け、その永久磁石の磁力によって断熱パネル本体を貯留設備に保持させるように構成したものが提案された（例えば、特開２００２−１０４５８１号公報参照）。
【０００３】
【発明が解決しようとする課題】
ところが、上述した従来構造では、ほとんど湾曲しにくいような硬質の断熱パネルに対して、永久磁石などが直接的に取り付けられているので、貯留設備の周壁や天井壁に凹凸があると、例えば、断熱パネルに取り付けた複数の永久磁石のうち、一部の永久磁石が周壁や天井壁に吸着されるだけで、残りの永久磁石は周壁や天井壁に吸着されない事態が発生する。
事実、貯留設備の外面には、かなりの凹凸が存在し、特に、多数の鋼板を溶接により接続して構成したタンクなどでは、鋼板の端部どうしを互いに重ねて溶接するために多数の凹凸が存在し、従来の構造では、使用する永久磁石の磁力に応じた適切な吸着力を得難いという問題があった。
【０００４】
本発明は、このような従来の問題点に着目したもので、その目的は、断熱パネル本体が湾曲し難い硬質のパネルであって、しかも、貯留設備の外面に凹凸があっても、永久磁石を使用して、極力、その磁力に応じた適切な吸着力で断熱パネルを保持することのできる貯留設備の断熱構造とそのための断熱パネルを提供することにある。
【０００５】
【課題を解決するための手段】
請求項１の発明の特徴構成は、硬質の断熱パネル本体が、その断熱パネル本体の裏面側に設けられた永久磁石によって貯留設備の外面に吸着されている貯留設備の断熱構造であって、前記永久磁石による磁着部が、前記断熱パネル本体の裏面に対し遠近方向に移動自在に取り付けられて前記貯留設備の外面に吸着されているところにある。
【０００６】
請求項１の発明の特徴構成によれば、永久磁石による磁着部が、断熱パネル本体の裏面に対し遠近方向に移動自在に取り付けられているので、断熱パネル本体が湾曲し難い硬質のパネルであって、しかも、貯留設備の外面に凹凸があっても、断熱パネル本体の裏面に対する永久磁石磁着部の遠近方向への移動によって、永久磁石の磁着部は、貯留設備の外面に確実に吸着され、断熱パネル本体を貯留設備に保持させることができ、その結果、貯留設備の外面における凹凸の存否にかかわらず、使用する永久磁石の磁力に応じた適切な吸着力で断熱パネルを確実に保持することが可能となる。
【０００７】
請求項２の発明の特徴構成は、上述した貯留設備の断熱構造で、前記永久磁石が、前記断熱パネル本体に可撓性を備えた可撓性部材を介して取り付けられているところにある。
【０００８】
請求項２の発明の特徴構成によれば、上述した貯留設備の断熱構造で、永久磁石が、断熱パネル本体に可撓性を備えた可撓性部材を介して取り付けられているので、たとえ貯留設備の外面に凹凸があっても、可撓性部材の変形機能を有効に利用して永久磁石の磁着部を貯留設備の外面に確実に吸着させることができる。
【０００９】
請求項３の発明の特徴構成は、上述した貯留設備の断熱構造で、前記永久磁石と可撓性部材が、可撓性磁石により一体的に形成されているところにある。
【００１０】
請求項３の発明の特徴構成によれば、上述した貯留設備の断熱構造で、永久磁石と可撓性部材が、可撓性磁石により一体的に形成されているので、例えば、永久磁石と可撓性部材を別体に構成し、可撓性部材を断熱パネル本体の裏面に取り付け、さらに、その可撓性部材に永久磁石を取り付ける場合と比較して、構造が簡素化されてコスト的にも有利となる。
【００１１】
請求項４の発明の特徴構成は、上述した貯留設備の断熱構造で、前記永久磁石が、前記断熱パネル本体との間にスペーサを介在させて取り付けられて、前記断熱パネル本体の裏面と前記貯留設備の外面との間に排水用空間が形成されているところにある。
【００１２】
請求項４の発明の特徴構成によれば、上述した貯留設備の断熱構造で、永久磁石が、断熱パネル本体との間にスペーサを介在させて取り付けられて、断熱パネル本体の裏面と貯留設備の外面との間に排水用空間が形成されているので、例えば、雨水などが断熱パネル本体と貯留設備外面との間に侵入しても、排水用空間を介して排水されるので、排水の滞留による断熱パネル本体や貯留設備の劣化が抑制される。
【００１３】
請求項５の発明の特徴構成は、上述した貯留設備の断熱構造で、前記永久磁石が、前記断熱パネル本体に弾性変形自在な弾性部材を介して取り付けられているところにある。
【００１４】
請求項５の発明の特徴構成によれば、上述した貯留設備の断熱構造で、永久磁石が、断熱パネル本体に弾性変形自在な弾性部材を介して取り付けられているので、たとえ貯留設備の外面に凹凸があっても、弾性部材の弾性変形機能を有効に利用して永久磁石の磁着部を貯留設備の外面に確実に吸着させることができる。
【００１５】
請求項６の発明の特徴構成は、硬質の断熱パネル本体が、その断熱パネル本体の裏面側に設けられた永久磁石によって貯留設備の外面に吸着可能に構成されている貯留設備用の断熱パネルであって、前記永久磁石による磁着部が、前記断熱パネル本体の裏面に対し遠近方向に移動自在に取り付けられているところにある。
【００１６】
請求項６の発明の特徴構成によれば、永久磁石による磁着部が、断熱パネル本体の裏面に対し遠近方向に移動自在に取り付けられているので、断熱パネル本体が湾曲し難い硬質のパネルであって、しかも、貯留設備の外面に凹凸があっても、断熱パネル本体の裏面に対する永久磁石磁着部の遠近方向への移動によって、永久磁石の磁着部を貯留設備の外面に確実に吸着させて、貯留設備の外面における凹凸の存否にかかわらず、使用する永久磁石の磁力に応じた適切な吸着力で断熱パネルを確実に保持することが可能となる。
【００１７】
請求項７の発明の特徴構成は、上述した貯留設備用の断熱パネルで、前記永久磁石が、前記断熱パネル本体に可撓性を備えた可撓性部材を介して取り付けられているところにある。
【００１８】
請求項７の発明の特徴構成によれば、上述した貯留設備用の断熱パネルで、永久磁石が、断熱パネル本体に可撓性を備えた可撓性部材を介して取り付けられているので、たとえ貯留設備の外面に凹凸があっても、可撓性部材の変形機能を有効に利用して永久磁石の磁着部を貯留設備の外面に確実に吸着させることができる。
【００１９】
請求項８の発明の特徴構成は、上述した貯留設備用の断熱パネルで、前記永久磁石と可撓性部材が、可撓性磁石により一体的に形成されているところにある。
【００２０】
請求項８の発明の特徴構成によれば、上述した貯留設備用の断熱パネルで、永久磁石と可撓性部材が、可撓性磁石により一体的に形成されているので、例えば、永久磁石と可撓性部材を別体に構成し、可撓性部材を断熱パネル本体の裏面に取り付け、さらに、その可撓性部材に永久磁石を取り付ける場合と比較して、構造が簡素化されてコスト的にも有利となる。
【００２１】
請求項９の発明の特徴構成は、上述した貯留設備用の断熱パネルで、前記可撓性磁石が帯状であり、その帯状の可撓性磁石が、幅方向の両端部を非接着状態として、幅方向の中央部が接着により前記断熱パネル本体に取り付けられているところにある。
【００２２】
請求項９の発明の特徴構成によれば、上述した貯留設備用の断熱パネルで、可撓性磁石が帯状であるため、その帯状の可撓性磁石を断熱パネルの裏面において長い距離にわたって配設することができ、例えば、短い可撓性磁石を多数配設する場合と比較して、構造的に簡素化される割には強い磁力を期待することができ、また、その帯状の可撓性磁石が、幅方向の両端部を非接着状態として、幅方向の中央部が接着により断熱パネル本体に取り付けられているので、その長い帯状可撓性磁石の幅方向両端部を有効に使用して所望どおりの吸着力を得ることができる。
【００２３】
【発明の実施の形態】
本発明による貯留設備の断熱構造とその断熱パネルにつき、その実施の形態を図面に基づいて説明する。
本発明の断熱構造や断熱パネルは、重油貯蔵タンクのような貯留設備を対象とするもので、図１に示すように、重油貯蔵タンク１であれば、直径が４０ｍ〜６０ｍ程度の円筒状の周壁２と、その周壁２の上部を覆う天井壁３を備え、天井壁３は、いわゆる「浮き天井」構造で、周縁にポンツーン４とシール部材５を備え、貯蔵タンク１内の重油の量に応じて昇降するように構成されている。
その天井壁３は、中心付近に設けられた排水口６に向かって勾配がつけられていて、雨水などが排水口６から排水ホース７を経て貯蔵タンク１外へ排水されるように構成されている。
【００２４】
重油貯蔵タンク１の周壁２と天井壁３は、貯留設備の外面に相当するもので、具体的には、図３などに示すように、厚みが４．５ｍｍ〜６ｍｍ程度の多数の鋼板８を溶接により接続して構成されており、そのため、外面には多数の凹凸が存在する。
それに対して、貯蔵タンク１の周壁２や天井壁３の外側に配設すべき断熱パネル本体９は、珪酸カルシウム、発泡樹脂、無機質混入発泡材などの不燃性または準不燃性で、かつ、非吸水性を有する断熱性材料で形成され、人が踏んでもへこまない程度の耐荷重性を備えた硬質の断熱パネルで構成されている。そして、図２などに示すように、例えば、長さが１８００ｍｍ、幅が９００ｍｍ、厚みが３０ｍｍの長方形に形成され、必要な場合には、防水コート９ａなどで被覆されている。
【００２５】
第１の実施形態では、図２および図３に示すように、断熱パネル本体９と同じ材料で形成された長尺状のスペーサ１０が、断熱パネル本体９の裏面において長方形の長辺に沿って互いに平行になるように５本配設され、かつ、各スペーサ１０において、その両端と中央部とに排水用連通空間１１を有する状態で断熱パネル本体９の裏面に接着により取り付けられている。
そして、その各スペーサ１０には、永久磁石１２と可撓性部材１３を兼用する可撓性磁石としてのゴム磁石１４が、可撓性を維持した状態でそれぞれ接着により取り付けられている。つまり、ゴム磁石１４は帯状に形成され、図３の（イ）に示すように、その幅方向の中央部のみが、接着材によってスペーサ１０に接着されていて、幅方向の両端部は、可撓性を維持するために非接着状態とされている。
【００２６】
第１の実施形態による断熱パネルを使用して、重油貯蔵タンク１の周壁２と天井壁３を断熱構造とするには、断熱パネル本体９のゴム磁石１４側の面を周壁２や天井壁３側に向けて押し付ける。
その際、図３に示すように、周壁２や天井壁３に鋼板８の溶接による凹凸があれば、その凸部を中心として断熱パネル本体９を前後左右などに適宜揺動させて押し付ける。すると、ゴム磁石１４の幅方向両端部がスペーサ１０に対して非接着状態で、ゴム磁石１４による磁着部が断熱パネル本体９の裏面に対し遠近方向に移動自在であるため、たとえ凹凸があっても、図３の（ロ）に示すように、ゴム磁石１４の幅方向両端部が、周壁２や天井壁３に対して確実に吸着して断熱パネル本体９を確実に保持することになる。
【００２７】
このような作業を順次繰り返して、周壁２や天井壁３の全面に多数の断熱パネル本体９を取り付けるのであり、周壁２や天井壁３の端部においては、長方形の断熱パネル本体９を端部形状にあわせて切断するか、あるいは、予め端部用の断熱パネル本体９を準備しておいて取り付けるのである。
そして、断熱パネル本体９を取り付けた状態では、スペーサ１０の介在によって、断熱パネル本体９の裏面と周壁２や天井壁３との間には、細長い多数の排水用空間１５が形成され、さらに、各排水用空間１５は、排水用連通空間１１により互いに連通されることになるので、これら空間１１，１５を通して雨水などを確実に排水することができる。
なお、この第１の実施形態による断熱パネルを使用して、重油貯蔵タンク１の周壁２や天井壁３への取り付け強度を確認したところ、建築基準法に準ずる風荷重（６０ｍ／ｓ）にも十分に耐え得ることが判明した。
【００２８】
つぎに、第２〜第４の実施形態について説明するが、重複説明を避けるため、先の実施形態で説明した構成や同じ作用を有する構成については、同じ符号を付すことで説明を省略し、主として先の実施形態と異なる構成についてのみ説明する。
【００２９】
第２の実施形態では、図４および図５に示すように、スペーサ１０が、先の実施形態のような長尺状ではなく、比較的小さなブロック状に形成されて、そのブロック状のスペーサ１０が、断熱パネル本体９の裏面に一定間隔置きに多数配設されて接着されている。
そして、そのブロック状のスペーサ１０には、例えば、可撓性を備え、かつ、適度な剛性を備えた合成樹脂や繊維などからなる十字状の可撓性部材１３が、図５の（イ）に示すように、その中心部分のみ接着により取り付けられていて、十字状可撓性部材１３の４つの先端部分に永久磁石１２が取り付けられ、必要によっては、十字状可撓性部材１３の中心部分にも永久磁石１２が取り付けられている。
【００３０】
第２の実施形態による断熱パネルによれば、可撓性部材１３の介在によって、その可撓性部材１３の先端部分に取り付けられた４つの永久磁石１２の磁着部が、断熱パネル本体９の裏面に対し遠近方向に移動自在となるため、図５に示すように、周壁２や天井壁３に鋼板８の溶接による凹凸があっても、図５の（ロ）に示すように、可撓性部材１３の先端部分に位置する４つの永久磁石１２が、周壁２や天井壁３に対して確実に吸着して断熱パネル本体９を確実に保持することになる。
そして、周壁２や天井壁３の全面に断熱パネル本体９を取り付けた状態では、多数のブロック状スペーサ１０の介在によって、断熱パネル本体９の裏面と周壁２や天井壁３との間には、網目状の排水用空間１５が形成されるので、雨水などを確実に排水することができる。
【００３１】
なお、この第２の実施形態では、可撓性部材１３を十字状にした例を示したが、可撓性部材１３の形状については種々の変更が可能である。
例えば、可撓性部材１３を円形や矩形などの各種形状にして、その中心部分のみをスペーサ１０に取り付け、その周囲に複数の永久磁石１２を取り付けて実施することもできる。
また、この第２の実施形態において、可撓性部材１３と永久磁石１２に代えて、第１の実施形態で説明したゴム磁石１４を使用して、そのゴム磁石１４を十字状、円形、あるいは、矩形などの各種形状にし、その中心部分のみをスペーサ１０に取り付けて実施することもできる。
【００３２】
第３の実施形態では、図６に示すように、ゴムや合成樹脂などのような軟らかくて弾性変形自在で、更に好ましくは、不燃性または準不燃性で、かつ、非吸水性を有する材料からなるブロック状の弾性部材１６が、断熱パネル本体９の裏面に一定間隔置きに多数配設されて接着されて、各ブロック状の弾性部材１６に永久磁石１２が取り付けられている。
【００３３】
第３の実施形態による断熱パネルによれば、弾性変形自在な弾性部材１６の介在によって、永久磁石１２の磁着部が、断熱パネル本体９の裏面に対し遠近方向に移動自在となり、周壁２や天井壁３に鋼板８の溶接による凹凸がある場合、その凸部を中心として断熱パネル本体９を前後左右などに適宜揺動させて押し付けることにより、各弾性部材１６に取り付けられた永久磁石１２が、周壁２や天井壁３に対して確実に吸着して断熱パネル本体９を確実に保持することになる。
そして、断熱パネル本体９を取り付けた状態では、多数のブロック状弾性部材１６が、先の実施形態におけるスペーサ１０の機能も兼用して、断熱パネル本体９の裏面と周壁２や天井壁３との間に網目状の排水用空間１５を形成することになる。
【００３４】
なお、この第３の実施形態では、弾性変形自在な弾性部材１６としてゴムや合成樹脂などからなるブロック状のものを示したが、金属製のコイルスプリングを弾性部材１６として使用することもできる。
【００３５】
第４の実施形態では、図７に示すように、例えば、円形の開口１７ａを有する合成樹脂製の円筒状の筒体１７が、断熱パネル本体９の裏面に一定間隔置きに多数配設されて接着され、各筒体１７には、フランジ１８ａを一体的に有する合成樹脂製の円柱状の移動部材１８が抜き差し自在に収納保持されていて、各移動部材１８の先端部に永久磁石１２が取り付けられている。
【００３６】
第４の実施形態による断熱パネルによれば、筒体１７と移動部材１８の介在によって、永久磁石１２の磁着部が、断熱パネル本体９の裏面に対し遠近方向に移動自在となるため、周壁２や天井壁３に鋼板８の溶接による凹凸があっても、各移動部材１８の先端部に取り付けられた永久磁石１２が、周壁２や天井壁３に対して確実に吸着して断熱パネル本体９を保持し、断熱パネル本体９を取り付けた状態では、多数の筒体１７が、先の実施形態におけるスペーサ１０の機能を兼用して、断熱パネル本体９の裏面と周壁２や天井壁３との間に網目状の排水用空間１５を形成することになる。
【００３７】
なお、この第４の実施形態では、筒体１７を円筒状とし移動部材１８を円柱状に形成した例を示したが、筒体１７を角筒状とし移動部材１８を角柱状とするなど、筒体１７と移動部材１８の形状については種々の変更が可能であり、また、移動部材１８の先端部に永久磁石１２を取り付けるのではなく、移動部材１８そのものを永久磁石１２で形成することもできる。
【００３８】
また、これまでの実施形態では、貯留設備の一例として重油貯蔵タンク１を示し、その周壁２と天井壁３に断熱パネル本体９を取り付けた例を示したが、重油以外の各種液体をはじめとして、各種の気体などを貯留する種々の貯留設備にも適用することができる。
そして、その貯留設備の周壁２や天井壁３などが、例えば、ステンレスのような非磁性体で構成されていても、周壁２や天井壁３の全面あるいは必要箇所に鋼板のような磁性体を貼着し、その磁性体に永久磁石１２やゴム磁石１４を吸着させて断熱パネル本体９を保持させることもでき、したがって、非磁性体からなる貯留設備に対しても適用することができる。
【図面の簡単な説明】
【図１】重油貯蔵タンクの概略断面図
【図２】第１の実施形態による断熱パネルの斜視図
【図３】第１の実施形態による断熱パネルと断熱構造の要部断面図
【図４】第２の実施形態による断熱パネルの斜視図
【図５】第２の実施形態による断熱パネルと断熱構造の要部断面図
【図６】第３の実施形態による断熱パネルと断熱構造の要部断面図
【図７】第４の実施形態による断熱パネルと断熱構造の要部断面図
【符号の説明】
１　　　　貯留設備
２，３　　貯留設備の外面
９　　　　断熱パネル本体
１０　　　スペーサ
１２　　　永久磁石
１３　　　可撓性部材
１４　　　可撓性磁石
１５　　　排水用空間
１６　　　弾性部材
【図１】
2004083032.tif 000003
【図２】
2004083032.tif 000004
【図３】
2004083032.tif 000005
【図４】
2004083032.tif 000006
【図５】
2004083032.tif 000007
【図６】
2004083032.tif 000008
【図７】
2004083032.tif 000009